(57)【特許請求の範囲】
【請求項１】
歯科用ハンドピース１７を駆動制御するハンドピース制御装置１１と、口腔内に注水する前記歯科用ハンドピース１７の先端に設けた注水ノズルに連通する水を収納した給水容器１４と、唾液、水及び歯牙の切削屑などの排出物を口腔内から吸引する吸引器具１６に連通する排出物を溜める排出物貯留容器１３と、前記給水容器１４には注水吸引駆動ユニット３０におけるポンプ４０の排気側開口に連通する送風管２０と、前記排出物貯留容器１３からは前記ポンプ４０の吸気側開口に連通する吸引管２２とをそれぞれ連結したものであって、前記ポンプ４０を駆動するモーター３４近傍まで前記送風管２０から分かれた分岐管を延長して前記モーター冷却用の送風管と連通することを特徴とする携帯用歯科治療ユニット。
【請求項２】
歯科用ハンドピース１７を駆動制御するハンドピース制御装置１１と、口腔内に注水する前記歯科用ハンドピース１７の先端に設けた注水ノズルに連通する水を収納した給水容器と、唾液、水及び歯牙の切削屑などの排出物を口腔内から吸引する吸引器具に連通する排出物を溜める排出物貯留容器と、前記給水容器１４には注水吸引駆動ユニットにおける一方のポンプ４０”の排気側開口に連通する送風管２０と、前記排出物貯留容器１３からは他方のポンプ４０’の吸気側開口に連通する吸引管２２とをそれぞれ連結したものであって、前記一方のポンプ４０”を駆動するモーター３４近傍まで排出管５１ａを延ばし、該管をモーター冷却用の送風管と連通することを特徴とする携帯用歯科治療ユニット。
【発明の詳細な説明】
【０００１】
【発明の属する技術分野】
本発明は、携帯用歯科治療ユニットに関し、さらに詳細には、注水機構と吸引機構を備えながらも小型軽量で携帯が容易な歯科治療ユニットに関する。
【０００２】
【従来の技術】
遠隔地や交通不便の地には歯科医師が在住していないことがあり、かかる場合には、歯科医師が歯科治療器具とともに遠隔地まで出張して診療を行なっている。このとき、歯科用ハンドピースは小型軽量であり、頭部のみを替えて多用途に使用可能なものもあるため、歯科用ハンドピース自体の持ち運びは比較的容易である。しかしながら、吸引器具や注水ノズルに圧力を供給するためのモーターやポンプといった駆動装置は重量も大きく嵩張るため、歯科治療器具一式を持ち運びながらの診療は困難であった。
【０００３】
【発明が解決しようとする課題】
したがって、本発明の課題は、口腔内に注水する注水機構と、口腔内から排出物を吸引する吸引機構との両機構を備えながらも、小型軽量で持ち運びが容易な歯科治療ユニットを提供することにある。
【０００４】
また本発明の課題は、口腔内の菌による感染防止に優れて衛生的であり、かつ注水機構と吸引機構との両機構を備えながらも小型軽量で持ち運びが容易な歯科治療ユニットを提供することにある。
【０００５】
【課題を解決するための手段】
本発明によれば、歯科用ハンドピース１７を駆動制御するハンドピース制御装置１１と、口腔内に注水する前記歯科用ハンドピース１７の先端に設けた注水ノズルに連通する水を収納した給水容器１４と、唾液、水及び歯牙の切削屑などの排出物を口腔内から吸引する吸引器具１６に連通する排出物を溜める排出物貯留容器１３と、前記給水容器１４には注水吸引駆動ユニット３０におけるポンプ４０の排気側開口に連通する送風管２０と、前記排出物貯留容器１３からは前記ポンプ４０の吸気側開口に連通する吸引管２２とをそれぞれ連結したものであって、前記ポンプ４０を駆動するモーター３４近傍まで前記送風管２０から分かれた分岐管を延長して前記モーター冷却用の送風管と連通することを特徴とする携帯用歯科治療ユニットが提供される。
【０００６】
本発明の携帯用歯科治療ユニットにおいて、前記ポンプの排気側開口にはポンプの外部から内部に空気が流れないように逆止弁を設け、一方、吸気側開口にはポンプの内部から外部に空気が流れないように逆止弁を設けてることができる。
また前記排出物貯留容器から前記ポンプの吸気側開口までを連通する管には、感染菌などの細菌の通過を防止するフィルターを設けることが好ましく、かかるフィルターとしては、例えば、多孔質のセラミックからなるフィルターを使用することができる。
さらに、前記携帯可能な函体内には、複数種類の歯科用ハンドピース及び吸引器具を収納可能なスペースを設けることが好ましい。
【０００７】
また本発明では、歯科用ハンドピース１７を駆動制御するハンドピース制御装置１１と、口腔内に注水する前記歯科用ハンドピース１７の先端に設けた注水ノズルに連通する水を収納した給水容器と、唾液、水及び歯牙の切削屑などの排出物を口腔内から吸引する吸引器具に連通する排出物を溜める排出物貯留容器と、前記給水容器１４には注水吸引駆動ユニットにおける一方のポンプ４０”の排気側開口に連通する送風管２０と、前記排出物貯留容器１３からは他方のポンプ４０’の吸気側開口に連通する吸引管２２とをそれぞれ連結したものであって、前記一方のポンプ４０”を駆動するモーター３４近傍まで排出管５１ａを延ばし、該管をモーター冷却用の送風管と連通することを特徴とする携帯用歯科治療ユニットが提供される。
【０００９】
【発明の実施の形態】
以下、本発明の好適な実施の形態を添付図面に基づいて説明するが、本発明はこれに限定されるものではない。
図１は本発明にかかる携帯用歯科治療ユニット１を示した斜視図である。
この携帯用歯科治療ユニット１は、歯科用ハンドピース１７を駆動するハンドピース用コントロールユニット１１と、歯牙の切削部分などに注水する水を収納するための給水容器１４と、口腔内から吸引した唾液、水および歯牙の切削屑などの排出物を溜めるための排出物貯留容器１３と、これら給水容器１４と排出物貯留容器１３を支持するための容器用スタンド１２と、注水吸引駆動ユニット３０とを、携帯可能なケース１０内に収納したものである。
【００１０】
ここで、前記排出物貯留容器１３と前記給水容器１４には、それぞれ着脱可能な容器キャップ１３ａ，１４ａを設ける。そして、排出物貯留容器１３の容器キャップ１３ａには、吸引器具１６に連通する吸引管２１と、ポンプ４０の吸気側開口に連通する吸引管２２とを接続し、この吸引管２２の途中に多孔質セラッミック等のフィルター１５を設ける。一方、給水容器１４の容器キャップ１４ａには、ポンプ４０の排気側開口に連通する送風管２０と、歯科用ハンドピース１７の先端に設けた注水ノズルに連通する送水管１９とを接続し、この送水管１９の途中に手動にて開閉可能な手動弁２３を設ける。
【００１１】
図２は図１における注水吸引駆動ユニット３０の構成を簡略に示した図である。
注水吸引駆動ユニット３０は、前記送風管２０と前記吸引管２２とが接続されるポンプ４０と、このポンプ４０を駆動するモータ３４と、このモータ３４の回転運動をシャフトの往復運動に変換するカム機構３３と、モータ３４の回転駆動を制御するための電気回路を設けた制御板３５と、電源に接続されたトランス３６と、モータ３４の駆動をＯＮ・ＯＦＦするスイッチ３７とがケース３１に収納されてなる。そして、送風管２０の途中から調整弁３９を介してモータ３４近傍まで分岐管を延長し、先端にフィルター３８を設けて、この分岐管をモータ３４の冷却送風用の管にする。
【００１２】
次に、前記注水吸引駆動ユニット３０の作用について説明する。
電源からトランス３６を介して制御部３５に電気が供給され、スイッチ３７を操作してＯＮにすると、モータ３４が回転駆動する。このモータ３４の回転運動は、カム機構３３により往復運動に変換されてポンプ４０に伝達されると、ポンプ４０の吸気側開口からは吸引管２２を介して空気が吸引される一方で、排気側開口からは送風管２０を介して空気が排出される。この送風管２０から排出された空気の一部は分岐管に導かれ、調整弁３９を介してフィルター３８を通り、ケース３１内に排出されてモータ３４を冷却する。
【００１３】
図３は、図２におけるポンプ４０とカム機構３３を更に詳細に示した断面図である。図３において、ポンプ４０は、送風管２０と吸気管２２を配置するための凹部が形成されたケーシング４１と、チャンバー４８のための凹部が形成されたケーシング４２とを、パッキング４４を介してボルトで連結し、ケーシング４２の凹部を密閉するように合成ゴム等からなる膜材４３を設けてチャンバー４８を形成し、この膜材４３にボルト４７でシャフト３３ａを連結し、チャンバー４８に連通するように送風管２０と吸気管２２を接続してなる。
一方、カム機構３３は、モータ３４の回転軸３４ａをカム部材３３ｂの偏心した位置に貫通させ、ベアリング３３ｃを介してカム部材３３ｂを前記シャフト３３ａに固定して形成する。
なお、前記モータ３４の回転軸３４ａはベアリングを介して軸受け部材３３ｄに枢支され、前記ポンプ４０も軸受け部材３３ｄに固定されている。
【００１４】
次に、ポンプ４０とカム機構３３の作用について説明する。
モータ３４を稼働すると回転軸３４ａが回転し、この回転運動はカム部材３３ｂを介してシャフト３３ａの往復運動（図３の矢印Ｍ１，Ｍ２方向の運動）に変換される。ここで、シャフト３３ａが矢印Ｍ２方向に動くと、空気は逆止弁４５を開いて吸引管２２からチャンバー４８内に吸引され、この吸引された空気は、逆に、シャフト３３ａが矢印Ｍ１方向に動くと、逆止弁４６を押し上げてチャンバー４８内から送風管２０を通って排出され、かようにして、シャフト３３ａの往復運動によりポンプ４０は吸引・送風を繰り返し行なう。
【００１５】
次に、携帯用歯科治療ユニット１の作用について説明する。
前述の如く、注水吸引駆動ユニット３０のスイッチ３７をＯＮにして、ポンプ４０を稼働させ、吸引器具１６により口腔内から唾液、水及び歯牙の切削屑などの排出物を吸引する。この排出物は空気とともに、吸引器具１６から吸引管２１を通って排出物貯留容器１３に導かれ、ここで排出物は排出物貯留容器１３の底に溜まり、さらに、空気のみが吸引管２２からフィルター１５を介してポンプ４０に導かれる。この空気の一部は、前述の如く、注水吸引駆動ユニット３０の内部で排出されてモータ３４を冷却するために使用され、残りの空気は送風管２０を通して給水容器１４に送られる。給水容器１４内では、モータ３４から送られた空気により気圧が高まり、給水容器内の水は送水管１９を通って、歯科用ハンドピース１７の頭部の注水ノズルから噴出する。
【００１６】
以上、携帯用歯科治療ユニット１は、単一のモータ３４と単一のポンプ４０により、給水容器１４内へ圧縮空気を供給することと、吸引器具１６へ陰圧を供給することが可能なように構成したので、ユニットは小型軽量で持ち運びが容易なものになった。
【００１７】
次に、図２とは異なる注水吸引駆動ユニットの構成を図４及び図５を参照して説明する。図４において、注水吸引駆動ユニット３０は、単一のモータ３４により二つのポンプ４０’，４０”を駆動することに特徴があり、一方のポンプ４０”の吸気側開口には吸引管２２を接続するとともに排気側開口には排出管５１ａを接続し、この排出管５１ａにはフィルタ５１ｂを接続し、このフィルタ５１ｂから空気を排出する。また他方のポンプ４０’の排気側開口には送風管２０を接続するとともに吸気側開口にはフィルタ５２ｂを設けた吸引管５２ａを接続し、送風管２０にはフィルタ５２ｂを介して外部から空気を取り込む。
すなわち、一方のポンプ４０”は吸引器具１６に陰圧を供給するために使用し、他方のポンプ４０’は注水ノズルに水を送るための圧力を供給するために使用し、注水系統と吸引系統における空気の流れを分断した。
また上記以外に、図２とは異なる構成として、モータ３４の回転軸３４ａを長めに形成し、回転軸３４ａの中間にも軸受け部材３３ｅを設け、回転軸３４ａの二箇所にカム部材３３ｂを介して各ポンプ４０’，４０”のシャフト３３ａを枢着した点である。なお、図２と同じ構成には同じ符号を付けて以下説明は省略する。
【００１８】
【発明の効果】
本発明の携帯用歯科治療ユニットでは、一つのポンプの排気側開口を給水容器に連通すると共に吸気側開口を排出物貯留容器に連通し、注水機構と吸引機構の両方を一つのポンプで駆動可能に構成し、構成部材の全てを携帯可能な函体内に収納したので、注水機構と吸引機構の両機構を備えながらも小型軽量で持ち運びが容易な歯科治療ユニットを提供することが可能になった。
【００１９】
本発明の携帯用歯科治療ユニットでは、注水のための圧力を供給するポンプと、排出物吸引のための陰圧を供給するポンプとを各別に設け、両方のポンプを一つのモーターで駆動可能に形成し、構成部材の全てを携帯可能な函体内に収納したので、口腔内の菌による感染防止に優れて衛生的であり、かつ注水機構と吸引機構との両機構を備えながらも小型軽量で持ち運びが容易な歯科治療ユニットを提供することが可能になった。
【図面の簡単な説明】
【図１】本発明に係る携帯用歯科治療ユニットを示した斜視図である。
【図２】図１における注水吸引駆動ユニットの構成を簡略に示した図である。
【図３】図２におけるポンプとカム機構を示した断面図である。
【図４】図２とは異なる注水吸引駆動ユニットの構成を簡略に示した図である
【図５】図４におけるポンプとカム機構を示した断面図である。
【符号の説明】
１  携帯用歯科治療ユニット
１０  ケース（函体）
１１  ハンドピース駆動制御装置
１３  排出物貯留容器
１４  給水容器
１６  吸引器具
１９  送水管
２０  送風管
２１  吸引管
２２  吸引管
３４  モーター
４０  ポンプ
【図１】
0004243410.tif 000002
【図２】
0004243410.tif 000003
【図３】
0004243410.tif 000004
【図４】
0004243410.tif 000005
【図５】
0004243410.tif 000006